(57)【要約】      （修正有）【課題】ＬＣＤ表示板の方角が調整でき、ＭＰＥＧ、ＪＰＥＧ、ＭＪＰＥＧ、ＭＰ３などを再生できると共に、各種メモリー、カードを受け入れる挿し込みスリットを有する多重機能を備えた映像プレイヤーを提供する。【解決手段】ＬＣＤ表示板１０、多カード式挿し込みスリット及び映像再生モジュール７が設けられ、内部には時刻を表示すると共にリモート・コントローラーで機器のオン／オフを制御するタイマー９が設けられる機体と、機体に可動可能に連結される可動フレームと、を有し、多カード式挿し込みスリットにメモリー・カードを挿し込むことにより、当該メモリー・カードの中に格納されているプログラムを再生でき、メモリー・カードには予め複数の再生時間及びプログラムのスケジュールが設定されたファイルが格納されており、映像再生モジュールによりファイルを読み取り、設定されたスケジュール通りにプログラムを再生する。【選択図】図３
0003130118.tif 000002
【実用新案登録請求の範囲】
【請求項１】
ＬＣＤ表示板、多カード式挿し込みスリット及び映像再生モジュールが設けられ、内部には時刻を表示すると共にリモート・コントローラーで機器のオン／オフを制御するタイマーが設けられる機体と、
前記機体に可動可能に連結される可動フレームと、を有し、
前記多カード式挿し込みスリットにメモリー・カードを挿し込むことにより、当該メモリー・カードの中に格納されているプログラムを再生でき、
前記メモリー・カードには予め複数の再生時間及びプログラムのスケジュールが設定されたファイルが格納されており、前記映像再生モジュールにより前記ファイルを読み取り、設定されたスケジュール通りにプログラムを再生することを特徴とする、多重機能を備えた映像プレイヤー。
【請求項２】
前記機体内には、物体を映像により検出して電源を起動する映像センサー・スイッチが含まれていることを特徴とする、請求項１に記載の多重機能を備えた映像プレイヤー。
【請求項３】
前記機体と、前記映像センサー・スイッチとの接続が無線式である場合に、前記映像センサー・スイッチには、観測する機能および赤外線制御信号を発射する機能を有することを特徴とする、請求項２に記載の多重機能を備えた映像プレイヤー。
【請求項４】
前記ＬＣＤ表示板はタッチ・コントロール式表示板であることを特徴とする、請求項１〜３のいずれか１項に記載の多重機能を備えた映像プレイヤー。
【請求項５】
前記機体はＶＣＤ・プレイヤーの機能を有することを特徴とする、請求項１〜４のいずれか１項に記載の多重機能を備えた映像プレイヤー。
【請求項６】
前記機体内部には、変圧器、電池、または車用電池の電力を管理して電源の分配を最良にするための電源管理モジュールが設けられることを特徴とする、請求項１〜５のいずれか１項に記載の多重機能を備えた映像プレイヤー。
【請求項７】
前記可動フレームは、当該可動フレームの両端部に形成されて前記機体の側部に連結される一対のサイド・アームと、前記両サイド・アームの前記機体と連結される側の反対側端部に、前記機体の横方向に延びて設けられたスタンドと、を有し、
前記ＬＣＤ表示板が観賞上最良の視界に入るように、前記サイド・アームと前記機体との相対位置が調整できように接続されていることを特徴とする、請求項１〜６のいずれか１項に記載の多重機能を備えた映像プレイヤー。
【請求項８】
前記映像再生モジュールには、ＤＶＢ−Ｔ同調器が含まれており、アンテナと接続してデジタル・テレビを再生できることを特徴とする、請求項１〜７のいずれか１項に記載の多機能を持った映像プレイヤー。
【請求項９】
前記機体の一側方には前記映像再生モジュールのマイクロ・プロセッサーと接続されるバーコード・スキャナーが設けられ、
前記映像再生モジュールのメモリーにはバーコードと商品データとの対照データ・バンクが備えられ、
バーコードを前記バーコード・スキャナーで走査することにより得たコードを前記マイクロ・プロセッサーに送り、このコードに相対する商品データを前記メモリーのデータ・バンクをサーチして読み取り、これを前記ＬＣＤの表示板に表示することを特徴とする、請求項１〜８のいずれか１項に記載の多重機能を備えた映像プレイヤー。
【考案の詳細な説明】
【技術分野】
【０００１】
本考案は映像プレイヤーに関するものであり、特にメモリー・カードのファイルに予め格納された各プログラムの再生時間を読取り、その順序に従ってプログラムを再生する、多重機能を備えた映像プレイヤーに関するものである。
【背景技術】
【０００２】
一般に見られる映像／音響プレイヤーとしては、早期に開発された映像再生機や音響放送機から、最近流行のＭＰ３プレイヤー、マス・メディア・ビデオプレイヤー、またはＣＤプレイヤーなどの工業技術の進歩に伴って、視聴覚関連機器の開発が顕著に盛んな時代となっている。映像／音響プレイヤーやそのインターフェイス品質の向上は、世の中に一層深い満足感を与えている。然るに、現状に満足せずにさらに努力して、移動や携帯にも便利な性能のよい映像／音響プレイヤーを開発し、利用者に貢献することは、関連する業者が常に心掛けねばならないことである。
【０００３】
以上の事情に鑑み、本願の考案者は長い間、関連業界従事してきた経験に基づき、長期に渡る苦心研鑽の結果、遂に本案に係る多重機能を備えた映像プレイヤーの案出の成功を見るに至ったのである。
【考案の開示】
【考案が解決しようとする課題】
【０００４】
映像プレイヤーにおいて、ＬＣＤ表示板、映像再生モジュールを含んだ機体を可動フレームで支持し、メモリー・カードのファイルに予め格納された、各プログラムの再生時間を読み取り、その順序に従ってプログラムを再生できる、多重機能を備えた映像プレイヤーを提供することを本考案の目的とする。
【課題を解決するための手段】
【０００５】
上記目的は、下記（１）〜（４）に記載の考案により達成される。
【０００６】
（１）ＬＣＤ表示板、多カード式挿し込みスリット及び映像再生モジュールが設けられ、内部には時刻を表示すると共にリモート・コントローラーで機器のオン／オフを制御するタイマーが設けられる機体と、前記機体に可動可能に連結される可動フレームと、を有し、前記多カード式挿し込みスリットにメモリー・カードを挿し込むことにより、当該メモリー・カードの中に格納されているプログラムを再生でき、前記メモリー・カードには予め複数の再生時間及びプログラムのスケジュールが設定されたファイルが格納されており、前記映像再生モジュールにより前記ファイルを読み取り、設定されたスケジュール通りにプログラムを再生することを特徴とする、多重機能を備えた映像プレイヤーである。
【０００７】
（２）前記機体内には、物体を映像により検出して電源を起動する映像センサー・スイッチが含まれていることを特徴とする、上記（１）に記載の多重機能を備えた映像プレイヤーである。
【０００８】
（３）前記機体と、前記映像センサー・スイッチとの接続が無線式である場合に、前記映像センサー・スイッチには、観測する機能および赤外線制御信号を発射する機能を有することを特徴とする、上記（２）に記載の多重機能を備えた映像プレイヤーである。
【０００９】
（４）前記ＬＣＤ表示板はタッチ・コントロール式表示板であることを特徴とする、上記（１）〜（３）のいずれか１つに記載の多重機能を備えた映像プレイヤーである。
【００１０】
（５）前記機体はＶＣＤ・プレイヤーの機能を有することを特徴とする、上記（１）〜（４）のいずれか１つに記載の多重機能を備えた映像プレイヤーである。
【００１１】
（６）前記機体内部には、変圧器、電池、または車用電池の電力を管理して電源の分配を最良にするための電源管理モジュールが設けられることを特徴とする、上記（１）〜（５）のいずれか１つに記載の多重機能を備えた映像プレイヤーである。
【００１２】
（７）前記可動フレームは、当該可動フレームの両端部に形成されて前記機体の側部に連結される一対のサイド・アームと、前記両サイド・アームの前記機体と連結される側の反対側端部に、前記機体の横方向に延びて設けられたスタンドと、を有し、前記ＬＣＤ表示板が観賞上最良の視界に入るように、前記サイド・アームと前記機体との相対位置が調整できように接続されていることを特徴とする、上記（１）〜（６）のいずれか１つに記載の多重機能を備えた映像プレイヤーである。
【００１３】
（８）前記映像再生モジュールには、ＤＶＢ−Ｔ同調器が含まれており、アンテナと接続してデジタル・テレビを再生できることを特徴とする、上記（１）〜（７）のいずれか１つに記載の多機能を持った映像プレイヤーである。
【００１４】
（９）前記機体の一側方には前記映像再生モジュールのマイクロ・プロセッサーと接続されるバーコード・スキャナーが設けられ、前記映像再生モジュールのメモリーにはバーコードと商品データとの対照データ・バンクが備えられ、バーコードを前記バーコード・スキャナーで走査することにより得たコードを前記マイクロ・プロセッサーに送り、このコードに相対する商品データを前記メモリーのデータ・バンクをサーチして読み取り、これを前記ＬＣＤ表示板に表示することを特徴とする、上記（１）〜（８）のいずれか１つに記載の多重機能を備えた映像プレイヤーである。
【考案の効果】
【００１５】
上記（１）に記載の考案によれば、映像プレイヤーにおいて、ＬＣＤ表示板、映像再生モジュールを含んだ機体を可動フレームで支持し、メモリー・カードのファイルに予め格納された各プログラムの再生時間を読み取り、その順序に従ってプログラムを再生できる。
【００１６】
上記（２）に記載の考案によれば、映像センサー・スイッチが設けられるため、移動物体を検測し、電源を起動して映像を表示することができる。
【００１７】
上記（３）に記載の考案によれば、映像センサー・スイッチに観測する機能および赤外線制御信号を発射する機能が設けられるため、機体と映像センサー・スイッチとの接続を無線式とするこができる。
【００１８】
上記（４）に記載の考案によれば、ＬＣＤ表示板がタッチ・コントロール式表示板であるため、ユーザが指でタッチして操作できる。
【００１９】
上記（５）に記載の考案によれば、機体がＶＣＤ・プレイヤーの機能を有するため、映像プレイヤーによってＶＣＤを観賞することができる。
【００２０】
上記（６）に記載の考案によれば、電源管理モジュールが設けられるため、電力を管理して電源の分配を最良にすることができる。
【００２１】
上記（７）に記載の考案によれば、サイド・アームと機体との相対位置が調整できるため、ＬＣＤ表示板を観賞上最良の視界に入るように設定することができる。
【００２２】
上記（８）に記載の考案によれば、映像再生モジュールにＤＶＢ−Ｔ同調器が含まれるため、デジタル・テレビを再生することができる。
【００２３】
上記（９）に記載の考案によれば、バーコードをバーコード・スキャナーで走査することにより得たコードをマイクロ・プロセッサーに送り、このコードに相対する商品データを前記メモリーのデータ・バンクをサーチして読み取り、これをＬＣＤ表示板に表示することができる。
【考案を実施するための最良の形態】
【００２４】
本考案の実施形態を、図面を参照しつつ説明する。
【００２５】
図１は本考案の第１実施形態に係る多重機能を備えた映像プレイヤーの概略図、図２は同多重機能を備えた映像プレイヤーを他の角度から見た斜視図、図３は同多重機能を備えた映像プレイヤーのブロック図である。
【００２６】
図１及び図２に示す本考案の第１実施形態に係る多重機能を備えた映像プレイヤーは、機体１と可動フレーム２とを有している。機体１には、約５インチ、７インチまたは１０．２インチ等のＬＣＤ表示板１０が設けられ、その両側には、各々スピーカ１１，１２が設けられる。機体１の後側（ＬＣＤ表示板１０が設けられる側の反対側）には、映像再生モジュール７（不図示）を収容したメイン・ケース３が設けられている。メイン・ケース３の上には、多カード式挿込みスリット４およびビデオ・ディスク挿込みスリット５が形成されており、多カード式挿込みスリット４は近年大量に使用されているＳＤカード、ＭＭＣカード、ＭＳカード、ＭＳＰＲＯカード、ＣＦ型タイプＩ／ＩＩカード、またはマイクロドライブカード４１等のメモリー・カードを受け入れることができる。ビデオ・ディスク挿込みスリット５は、ＶＣＤ、ＤＶＤなどのビデオ・ディスク５１を挿込んで再生できる。メイン・ケース３の１側面には、ＡＶ挿込みスリット１３と、イヤホン挿入孔１４と、アンテナ挿入孔１５とが形成されている。
【００２７】
また、多重機能を備えた映像プレイヤーには、さらにリモート・コントローラー６が備えられている。
【００２８】
また、メイン・ケース３の上には、１つのメモリー・カード保護蓋２０００が設けられ、機体１の裏側に対して対向するように形成されるピン２０１、２０２を機体１の裏側に嵌め込まれて、メモリー・カード挿し込みスリット４、ビデオ・ディスク挿込みスリット５を覆って抜け落ちないように保持されている。
【００２９】
可動フレーム２は、メイン・ケース３の両側辺に回転可能に連結されたサイド・アーム２２、２３と、機体１の横方向に延びて設けられてサイド・アーム２２、２３の間を連結する横方向スタンド２１とを有しており、横方向スタンド２１と機体１の相対的位置を調整して、鑑賞上最良の視界が得られるようになっている。
【００３０】
機体１の裏側には、電池９１を電源とするタイマー９が設けられており、このタイマー９により時刻を表示したり、リモート・コントローラー６による本機のＯＮ／ＯＦＦ時間を設定したり、時刻を計測して本機のＯＮ／ＯＦＦを制御できる。タイマー９は、機体１の裏側に形成されるホール９２の中に安置され、ねじ９４で外蓋９３をねじ止めして収容する。電池９１の電力が切れた場合には、外蓋９３を取り外してタイマー９を取り出し、電池９１を交換することができる。
【００３１】
図３を参照すると、本機１の映像再生モジュール７は、ＭＰＥＧ１，２，４、ＪＰＥＧ、ＭＪＰＥＧ、ＭＰ３などのマス・メディアの多重機能デコーダを再生でき、また、ＳＤカード７ａ、ＭＭＣカード７ｂ、ＭＳカード７ｃ、ＭＳＰＲＯカード７ｄ、ＣＦ型タイプＩ／ＩＩカード７ｅおよびマイクロドライブカード４１の内部資料を読み取ることができる。また、映像再生モジュール７の一端は無線接続端子７１と操作インターフェイス７２とに接続され、他端はビデオ・セレクター７３とボイス・セレクター７４とに接続される。ビデオ・セレクター７３は、ＡＶ端子からの入力情報２０を受信し、ＬＣＤドライバー７５の駆動により、ＬＣＤ表示板１０に映像画面を表示する。ボイス・セレクター７３は、アンプ回路７６を経てスピーカ１１，１２に音響を出力する。なお、電源管理モジュール８は変圧器８１、電池８２や車用電池８３の電力を管理して、電力を最良の状態に配分する。
【００３２】
また、映像再生モジュール７は、ＳＤカード７ａ、ＭＭＣカード７ｂ、ＭＳカード７ｃ、ＭＳＰＲＯカード７ｄ、ＣＦ型タイプＩ／ＩＩカード７ｅ、或いはマイクロドライブカード４１の内部のプログラムを再生するものであり、前記各々のメモリー・カードには予め複数の再生時間とプログラムのスケジュールを設定されたファイルが格納されており、映像再生モジュール７でこれをファイルから読み取り、そのスケジュール通りにプログラムを再生するものである。よってユーザはこれらメモリー・カードから個人の好みにより、ファイル内のプログラムと再生時間を選択し、再生させることができる。
【００３３】
また、映像再生モジュール７に接続されるＤＶＤ−Ｔ同調器７００により、デジタル・アンテナ１０００により受信したデジタル・テレビのプログラムを映すこともできる。
【００３４】
図４は、本考案の第２実施形態に係る多重機能を備えた映像プレイヤーの概略図である。
【００３５】
図４を参照すると、本考案の第２実施形態に係る多重機能を備えた映像プレイヤーは、機体１の上に映像センサー・スイッチ１００が取り付けられる。映像センサー・スイッチ１００は、一定の距離（約１〜５ｍ）及び角度範囲（約６０度）内における移動物体を検測し、一旦移動物体（例えばユーザ）を検測すると、電源を起動して映像を表示する。映像センサー・スイッチ１００に、観測する機能および赤外線制御信号を発射する機能を備えることにより、機体１と映像センサー・スイッチ１００とを、無線式で接続することができる。
【００３６】
或いは本図に示すように、映像ディテクター２００を遠隔点（例えば天井裏）に取り付け、人間の移動や接近による赤外線信号を検測して、この検測に応じて電源を起動し、映像を表示することもできる。
【００３７】
図５は、本考案の第３実施形態に係る多重機能を備えた映像プレイヤーの概略図である。
【００３８】
図５を参照すると、本考案の第３実施形態に係る多重機能を備えた映像プレイヤーのＬＣＤ表示板は、タッチ・コントロール（ｔｏｕｃｈ  ｃｏｎｔｒｏｌ）式表示板であるタッチ式感知サーフェイス・ボード３００であり、ユーザが指でタッチして操作できる。
【００３９】
再び図３を参照すると、本考案による映像プレイヤーには、更に１つのメモリー８００が設けられている。このメモリー８００内には、バーコードと商品データとの対照データ・バンクが備えられている。更に図１，４及び５を参照すると、機体１の一側方には、バーコード・スキャナー１６が設けられる。バーコード・スキャナー１６は、映像再生モジュール７のマイクロ・プロセッサーと接続され、バーコード・スキャナー１６で商品上のバーコードを走査して読み取り、得られたコードをマイクロ・プロセッサーに転送してメモリー８の対照データ・バンクから、このコードに対応する商品データを取得し、ＬＣＤドイバー７５により、ＬＣＤ表示板１０上に映像として表示する。
【００４０】
以上の説明のように、本考案に係る多重機能を備えた映像プレイヤーは容積が小さく、軽量で、移動が便利であるため、いつどこでも最良の角度に調整して観賞できる。ＭＰＥＧ１，２または４の映像を再生したり、ＭＰ３など様々なフォーマットのファイルを再生したり、ＳＤカード、ＭＭＣカード、ＭＳカード、ＭＳＰＲＯカード、ＣＦ型タイプＩ／ＩＩ／カード、マイクロドライブカードなど様々なメモリー・カードを受け入れる機能を持ち、非常に優れたマス・メディア用の機器である。また、視聴会議にも使用できる。個人や家庭内での使用から商業、教育、会議、産品展示、または家庭映画館に至るまで様々な用途で使用できる。
【００４１】
なお、本考案は上述した実施の形態に限定されるものではなく、実用新案登録請求の範囲の範囲内で種々改変することができ、本考案の技術的思想を逸脱しない範囲での、同等の効果が得られる実施や変更は、全て実用新案登録請求の範囲内に含まれるものである。
【図面の簡単な説明】
【００４２】
【図１】本考案の第１実施形態に係る多重機能を備えた映像プレイヤーの概略図である。
【図２】同多重機能を備えた映像プレイヤーを他の角度から見た斜視図である。
【図３】同多重機能を備えた映像プレイヤーのブロック図である。
【図４】本考案の第２実施形態に係る多重機能を備えた映像プレイヤーの概略図である。
【図５】本考案の第３実施形態に係る多重機能を備えた映像プレイヤーの概略図である。
【符号の説明】
【００４３】
１    機体、
２    可動フレーム、
３    メイン・ケース、
４    多カード式挿し込みスリット、
５    ビデオ・ディスク挿し込みスリット、
６    リモート・コントローラー、
７    映像再生モジュ−ル、
７ａ    ＳＤカード、
７ｂ    ＭＭＣカード、
７ｃ    ＭＳカード、
７ｄ    ＭＳＰＲＯカード、
７ｅ    ＣＦ型タイプＩ／ＩＩカード、
８    電源管理モジュール、
９    タイマー、
１０    ＬＣＤ表示板、
１１、１２    スピーカ、
１３    ＡＶ端子挿し込みスリット、
１４    イヤホン挿入孔、
１５    メガホン挿入孔、
１６    バーコード・スキヤンナ、
２０    ＡＶ端子挿入力情報、
２１    横方向スタンド、
２２、２３    サイド・アーム、
４１    マイクロドライブカード、
５１    ビデオ・ディスク、
７１    無線接続端子、
７２    操作インターフェイス、
７３    ビデオ・セレクター、
７４    ボイス・セレクター、
７５    ＬＣＤドライバー、
７６    アンプ回路、
８１    変圧器、
８２    電池、
８３    車用電池、
９１    電池、
９２    裏側ホール、
９３    外蓋、
９４    ねじ、
１００    映像センサー・スイッチ、
２００    映像ディテクター、
２０１、２０２    ピン、
３００    タッチ式感知サーフェイス・ボード、
７００    ＤＶＤ−Ｔ同調器、
８００    メモリー、
１０００    デジタル・アンテナ、
２０００    メモリー・カード保護蓋。
【図１】
0003130118.tif 000003
【図２】
0003130118.tif 000004
【図３】
0003130118.tif 000005
【図４】
0003130118.tif 000006
【図５】
0003130118.tif 000007